(57)【要約】      （修正有）【課題】回収しようとする携帯電話の回収価格を自動評価でき、携帯電話を回収する際の効率を向上できる携帯電話回収装置を提供する。【解決手段】携帯電話回収装置は、第一撮影部１０、制御部２００、表示部および回収部を含み、第一撮影部は、検査測定領域の上方に設けられており、検査測定領域における携帯電話を撮影し、撮影により取得した写真データを制御部に送信し、制御部は、所定のデータをクラウドシステムに送信し、クラウドシステムにより処理されたデータを受信し、クラウドシステムから受信したデータおよびデータラインから読み取ったデータを表示部に送信し、表示部は携帯電話に関連する情報を表示し、回収部は、搬送部および収納部３０を含み、搬送部はレール、搬送機構および搬送通路により構成され、検査測定が終わった携帯電話を回収する。【選択図】図１
0003223233.tif 000002
【実用新案登録請求の範囲】
【請求項１】
第一撮影部、制御部、表示部および回収部を含み、
前記第一撮影部は、検査測定領域の上方に設けられており、検査測定領域における携帯電話を撮影し、撮影により取得した写真データを前記制御部に送信し、
前記制御部は、所定のデータをクラウドシステムに送信し、前記クラウドシステムにより処理されたデータを受信し、前記クラウドシステムから受信したデータおよびデータラインから読み取ったデータを前記表示部に送信し、
前記表示部は携帯電話に関連する情報を表示し、
前記回収部は、搬送部および収納部を含み、前記搬送部はレール、搬送機構および搬送通路により構成され、検査測定が終わった携帯電話を回収する、
ことを特徴とする携帯電話回収装置。
【請求項２】
第二撮影部をさらに含み、
前記第二撮影部は前記制御部に電気的に接続されされており、装置外部のユーザの行為について動画を撮影する、ことを特徴とする請求項１に記載の携帯電話回収装置。
【請求項３】
第一位置センサーおよび第二位置センサーをさらに含み、
前記第一位置センサーおよび前記第二位置センサーは、前記搬送機構の位置をセンシングし、前記搬送機構により携帯電話が回収領域まで搬送されると、前記第二位置センサーは前記搬送機構の位置をセンシングし、前記搬送機構はレールに沿って戻り、第一位置センサーが前記搬送機構の位置をセンシングすると、前記搬送機構は検査測定領域に再び戻り、前記第一位置センサーおよび前記第二位置センサーは前記制御部に電気的に接続されている、ことを特徴とする請求項２に記載の携帯電話回収装置。
【請求項４】
前記レールの数は２つであり、前記搬送機構は、開口部、検査測定領域および回収領域との間において往復移動し、前記第一位置センサーおよび前記第二位置センサーはそれぞれ前記レールの両端に取り付けられており、前記搬送機構を支持するフレームの数は４つである、ことを特徴とする請求項３に記載の携帯電話回収装置。
【請求項５】
駆動部をさらに含み、
前記駆動部はモーターおよびラックを含み、前記ラックは前記モーターに近接して取り付けられており、前記モーターの回転軸には歯車が外嵌して設けられ、前記歯車は前記ラックに嵌合している、ことを特徴とする請求項４に記載の携帯電話回収装置。
【請求項６】
装置ボックスをさらに含み、前記第一撮影部は前記装置ボックス内に設けられ、前記表示部は前記装置ボックスの外壁に設けられている、ことを特徴とする請求項１に記載の携帯電話回収装置。
【請求項７】
前記表示部は前記装置ボックスの外壁に設けられ、前記表示部は、前記制御部に電気的に接続され、前記携帯電話に関連するデータを表示する、ことを特徴とする請求項６に記載の携帯電話回収装置。
【請求項８】
前記装置ボックス内には収納部が設けられ、前記収納部と前記検査測定領域との間には通路を有する、ことを特徴とする請求項７に記載の携帯電話回収装置。
【請求項９】
前記収納部と前記検査測定領域との間において前記搬送部により携帯電話を搬送する、ことを特徴とする請求項８に記載の携帯電話の回収装置。
【請求項１０】
検査測定空間と請求項１〜９のいずれか一項に記載の回収部を含み、
前記検査測定空間は携帯電話の検査測定に用いられ、前記検査測定空間内には携帯電話を配置する検査測定領域が設けられ、前記検査測定領域は前記搬送通路と連通状態になっている、ことを特徴とする携帯電話回収装置。
【考案の詳細な説明】
【技術分野】
【０００１】
本考案は、携帯電話の回収技術分野に関し、特に携帯電話回収装置に関する。
【背景技術】
【０００２】
リサイクル屋において不要になった携帯電話を回収する際、通常、携帯電話の回収価格は人間によって評価される。しかしながら、このような方法は、比較的に長い時間をかけて携帯電話の状態を把握することが必要であるため、携帯電話を回収する際の作業効率が低い。さらに、携帯電話の回収価格は人間の主観性に頼って評価されるため、携帯電話の回収価格を客観的に評価することができず、回収価格の評価ミスが生じやすい。
【考案の概要】
【考案が解決しようとする課題】
【０００３】
本考案は、従来技術における問題に鑑みてなされたものであり、回収しようとする携帯電話の回収価格を自動的に評価させ、携帯電話を回収する際の作業効率を向上でき、回収価格を客観的に評価できる携帯電話回収装置を提供することを目的とする。
【課題を解決するための手段】
【０００４】
上記目的と達成するための本考案に係る携帯電話回収装置は、第一撮影部、制御部、表示部および回収部を含み、
前記第一撮影部は、検査測定領域の上方に設けられており、検査測定領域における携帯電話を撮影し、撮影により取得した写真データを前記制御部に送信し、
前記制御部は、所定のデータをクラウドシステムに送信し、前記クラウドシステムにより処理されたデータを受信し、前記クラウドシステムから受信したデータおよびデータラインから読み取ったデータを前記表示部に送信し、
前記表示部は携帯電話に関連する情報を表示し、
前記回収部は、搬送部および収納部を含み、前記搬送部はレール、搬送機構および搬送通路により構成され、検査測定が終わった携帯電話を回収する。
【０００５】
好ましくは、第二撮影部をさらに含み、
前記第二撮影部は前記携帯電話回収装置の正面右側に取り付けられており、前記第二撮影部は前記制御部に電気的に接続されされており、装置外部のユーザの行為について動画を撮影する。
【０００６】
好ましくは、第一位置センサーおよび第二位置センサーをさらに含み、
前記第一位置センサーおよび前記第二位置センサーは、前記搬送機構の位置をセンシングし、前記搬送機構により携帯電話が回収領域まで搬送されると、前記第二位置センサーは前記搬送機構の位置をセンシングし、前記搬送機構はレールに沿って戻り、第一位置センサーが前記搬送機構の位置をセンシングすると、前記搬送機構は検査測定領域に再び戻り、前記第一位置センサーおよび前記第二位置センサーは前記制御部に電気的に接続されている。
【０００７】
好ましくは、前記搬送部は、レール、搬送機構および搬送通路をさらに含み、前記レールの数は２つであり、前記搬送機構は、開口部、検査測定領域および回収領域との間において往復移動し、前記第一位置センサーおよび前記第二位置センサーはそれぞれ前記レールの両端に取り付けられており、前記搬送機構を支持するフレームの数は４つである。
【０００８】
好ましくは、駆動部をさらに含み、
前記駆動部はモーターおよびラックを含み、前記ラックは前記モーターに近接して取り付けられており、前記モーターの回転軸には歯車が外嵌して設けられ、前記歯車は前記ラックに嵌合している。
【０００９】
好ましくは、装置ボックスをさらに含み、前記第一撮影部は前記装置ボックス内に設けられ、前記表示部は前記装置ボックスの外壁に設けられている。
【００１０】
好ましくは、前記表示部は前記装置ボックスの外壁に設けられ、前記表示部は、前記制御部に電気的に接続され、前記携帯電話に関連するデータを表示する。
【００１１】
好ましくは、前記装置ボックス内には収納部が設けられ、前記収納部と前記検査測定領域との間には搬送通路が形成されている。
【００１２】
好ましくは、検査測定空間と上記のいずれかに記載の回収部を含み、
前記検査測定空間は携帯電話の検査測定に用いられ、前記検査測定空間内には携帯電話を配置する検査測定領域が設けられ、前記検査測定領域は前記搬送通路と連通状態になっている。
【考案の効果】
【００１３】
本考案に係る携帯電話回収装置によれば、まず、携帯電話をデータラインに接続させ、制御部により、携帯電話のＲＯＭ容量、バッテリー状態、シリアルナンバーおよびカメラのシリアルナンバーなどを含む携帯電話に関連するデータを自動的に読み取る。読み取りが終わると、ユーザはデータラインを携帯電話から抜き出し、携帯電話を検査測定するための検査測定部の検査測定領域に送入する。続いて、第一撮影部は検査測定領域における携帯電話を撮影し、制御部は第一撮影部により撮影して取得した写真データおよびデータラインから読み取ったデータをクラウドシステムに送信し、クラウドシステムによってデータ処理を行い、携帯電話に対する評価結果および評価の回収価格を取得する。このため、携帯電話の回収価格を客観的に評価できる。クラウドシステムにより評価された結果データは制御部に送信され、表示部を介して回収価格および各種情報を表示する。したがって、携帯電話の回収価格を自動的かつ客観的に評価でき、携帯電話を回収する際の作業効率を向上できる。
【図面の簡単な説明】
【００１４】
【図１】本考案の実施例に係る携帯電話回収装置の内部構造を示す図である。
【図２】本考案の実施例に係る搬送部および駆動部の構造を示す図である。
【図３】本考案の実施例に係る携帯電話回収装置の外観を示す図である。
【考案を実施するための形態】
【００１５】
以下、図面を参照しながら本考案に係る実施例について詳細に説明する。
図１〜３に示すように、携帯電話回収装置は、第一撮影部１０、制御部２００、表示部４００および回収部を含む。
【００１６】
第一撮影部１０は、検査測定領域１００の上方に設けられており、検査測定領域１００における携帯電話を撮影し、撮影により取得した写真データを制御部２００に送信する。第一撮影部１０は、たとえばＣＣＤカメラである。
【００１７】
制御部２００は、携帯電話および第一撮影部１０のそれぞれに電気的に接続できる。制御部２００は、所定のデータをクラウドシステム（ｃｌｏｕｄ  ｓｙｓｔｅｍ）に送信し、クラウドシステムにより処理されたデータを受信し、クラウドシステムから受信したデータおよびデータライン３００から読み取ったデータを表示部４００に送信する。
【００１８】
表示部４００は、携帯電話に関連する情報を表示する。表示部４００は、たとえばタッチパネルである。
【００１９】
回収部は、搬送部および収納部（回収空間）を含み、搬送部はレール、搬送機構および搬送通路により構成され、検査測定（回収価格の評価）が終わった携帯電話を回収する。
【００２０】
本実施例に係る携帯電話回収装置によれば、まず、携帯電話をデータライン３００に接続させ、制御部２００により、携帯電話のＲＯＭ容量、バッテリー状態、シリアルナンバー（ｓｅｒｉａｌ  ｎｕｍｂｅｒ）およびカメラのシリアルナンバーなどを含む携帯電話に関連するデータを自動的に読み取る。読み取りが終わると、ユーザはデータライン３００を携帯電話から抜き出し、携帯電話を検査測定するための検査測定空間における検査測定領域１００に送入する。続いて、第一撮影部１０は検査測定領域１００における携帯電話を撮影し、制御部２００は第一撮影部１０により撮影して取得した写真データおよびデータライン３００から読み取ったデータをクラウドシステムに送信し、クラウドシステムによってデータ処理を行う。
【００２１】
第一撮影部１０の焦点距離は固定である。制御部２００はデータの読み取りおよび携帯電話に対する撮影を制御し、これらのデータをクラウドシステムに送信する。クラウドシステムは、写真における携帯電話の各種特徴について照合し、分析する。たとえば、撮影して取得した携帯電話の写真により携帯電話の外観の状況を判断し、もし携帯電話の外観がよくない場合は、キズなどが存在するか否かを判断する。また、携帯電話のサイズおよびｌｏｇｏを識別することにより携帯電話のブランドおよび具体的な型番を取得する。さらに、読み取った当該携帯電話のデータとデータベースにおける携帯電話の基準情報（予め記憶されている）とを照合することにより、携帯電話のバッテリーや表示パネルが取り替えられたことがあるか否かなどの情報を取得する。クラウドシステムの処理によって上記らのデータを取得した後、携帯電話の回収価格を評価し、評価結果を制御部２００に送信する。制御部２００は、制御回路基板と機械制御構造により構成されたモジュールであり、本技術分野において周知であるプログラムによりハードウェアの動作を制御する処理装置である。制御部２００は、たとえばＣＰＵ、メモリなどを有するコンピュータ装置であってよい。
【００２２】
本実施例に係る携帯電話回収装置は、図３に示すように、第二撮影部５００をさらに含む。第二撮影部５００は携帯電話回収装置の正面右側に取り付けられ、かつ制御部２００に電気的に接続されている。第二撮影部５００は、装置外部のユーザの行為についてビデオモニタリングを行う。すなわち、第二撮影部５００は、モニタリングされる外部ユーザの行為について動画を撮影できる。したがって、携帯電話の検査測定をする際のユーザのの行為の全過程を記録でき、ユーザの操作が正しいかどうか、検査測定過程において検査測定装置を妥当に取り扱っているか否かを把握できる。
【００２３】
本実施例に係る携帯電話回収装置は、図２に示すように、第一位置センサー１１０および第二位置センサー１２０をさらに含む。第一位置センサー１１０および第二位置センサー１２０は、搬送機構１３０の位置をセンシングする。携帯電話の検査測定が完了した後、ユーザが携帯電話の回収を選択した場合、第一位置センサー１１０は搬送機構１３０の位置をセンシングし、搬送機構１３０は携帯電話を回収領域１５０まで搬送する。一方、ユーザが携帯電話の回収を取消した場合、第二位置センサー１２０は搬送機構１３０の位置をセンシングし、搬送機構１３０はレールに沿って戻り、第一位置センサー１１０が搬送機構１３０の位置をセンシングし、搬送機構１３０は再び検査測定領域１００に戻る。上記位置センサー１１０、１２０は、ともに制御部２００に電気的に接続されている。
【００２４】
本実施例に係る携帯電話回収装置は、図２に示すように、レール４３０および搬送機構１３０をさらに含み、レール４３０の数は２つである。搬送機構１３０は、開口部４１０と、検査測定領域１００および回収領域１５０との間（搬送通路）において往復移動し、第一位置センサー１１０および第二位置センサー１２０はそれぞれ、レール４３０の両端に取り付けられている。搬送機構を支持するフレームの数は４つであり、そのうち左右両側に位置している２つのフレームは第一スライドレール１３１および第二スライドレール１３２であり、第一スライドレール１３１は一側のレール４３０にスライディング可能に結合され、第二スライドレール１３２は他側のレール４３０にスライディング可能に結合されている。他の２つのフレームは２つのレール４３０の間に位置され、携帯電話を傷付けずに検査測定領域１００まで安定的に搬送できるように役立つ。本実施例に係る携帯電話回収装置において、搬送機構を駆動するための駆動モジュール（駆動部ともいう）はモーター３１０および該モータに近接して取付られたラック３２０を含み、モーター３００の回転軸には歯車３３０が外嵌して設けられ、歯車３３０はラック３２０に嵌合している。
【００２５】
本実施例に係る携帯電話回収装置は、図２および図３に示すように、装置ボックス２０をさらに含み、第一撮影部１０は装置ボックス２０内に設けられ、表示部４００は装置ボックス２０の外壁に設けられている。
【００２６】
図３に示すように、装置ボックス２０の外壁には表示部４００が設けられ、表示部４００は制御部２００に電気的に接続されている。このため、処理後のデータは、便宜に表示部４００に送信され表示される。
【００２７】
図１および図３に示すように、装置ボックス２０内には収納部３０が設けられており、収納部３０と検査測定領域１００との間には通路（搬送通路の一部）を有する。収納部３０を有することにより回収される携帯電話を保存できる。収納部３０内には緩衝ブロック３５０が設けられ、回収する際に携帯電話が破損されないように保護できる。
【００２８】
本実施例に係る携帯電話回収装置を操作するための具体的なフローは次のとおりである。まず、回収待ちの携帯電話をデータライン３００に接続させ、表示部４００において確定ボタンをクリックすれば、制御部２００は携帯電話に関連する情報を取得できる。続いて、データライン３００を携帯電話から抜き出し、ドア４１０（ドアと開口部は同じ位置における異なる実体である）を開け、携帯電話が検査測定領域１００まで搬送できるように送入する。続いて、第一撮影部１０は携帯電話の写真を撮り、制御部２００は写真データおよびデータラインから読み取ったデータをクラウドシステムに送信する。読み取ったデータは、携帯電話のＲＯＭ容量、バッテリー状態、シリアルナンバーおよびカメラのシリアルナンバーなどを含む。撮影により取得した写真情報と合わせて、クラウドシステムはデータ処理を行い、携帯電話のブランド、型番を取得し、携帯電話が本物であるかサンプルであるかを判断し、携帯電話を回収する際の回収価格を正確に評価して制御部２００に送信する。続いて、制御部２００はクラウドシステムから受信したデータを表示部４００に送信し、表示部４００により回収価格および各種情報を表示する。なお、制御部２００から表示部４００に送信するデータは、携帯電話の外観の破損状況、パネルおよびバッテリーの状態等に関連するデータも含んでいる。表示部４００はユーザが回収または取消を選択できるように表示を行う。続いて、ユーザが携帯電話の回収を選択したと判断した場合、携帯電話を搬送通路の末端方向へ一定距離搬送して収納部３０に送入する。一方で、ユーザが携帯電話の回収の取消を選択したと判断した場合、携帯電話を検査測定領域に搬送し、ドアを開けて携帯電話を取り戻すようにユーザに合図する。
【００２９】
上記とおり、本考案の具体的な実施例を詳述したが、これらは本考案を理解しやすいように例示したものに過ぎず、本考案の保護範囲は上記実施例に限定されない。いわゆる当業者であれば、本考案の技術的思想から逸脱しない範囲内において様々な変更や改良などを行うことができるが、これらはいずれも本考案の保護範囲に含まれることに注意されたい。
【符号の説明】
【００３０】
１０  第一撮影部、
１００  検査測定領域、
１１０  第一位置センサー、
１２０  第二位置センサー、
１３０  搬送部、
１３１  第一スライドレール、
１３２  第二スライドレール、
１５０  回収領域、
２０  装置ボックス、
２００  制御部、
３０  収納部、
３００  データライン、
３１０  モーター、
３２０  ラック、
３３０  歯車、
３５０  緩衝ブロック、
４００  表示部、
４１０  開口部、ドア
４３０  レール、
５００  第二撮影部。
【図１】
0003223233.tif 000003
【図２】
0003223233.tif 000004
【図３】
0003223233.tif 000005